【事件の表示】
　特願２００７−２８７９０４「再生装置及び再生方法」拒絶査定不服審判事件〔平成２０年４月１７日出願公開、特開２００８−９１０２１〕について、次のとおり審決する。
【結　論】
　本件審判の請求は、成り立たない。
【理　由】
１．手続の経緯・本願発明
　本件審判の請求に係る特許出願（以下、「本願」という。）は、平成７年９月８日に出願した国際特許出願である特願平８−５０９３８０号（国際出願番号　ＰＣＴ／ＪＰ９５／０１７９３、優先権主張　１９９４（平成６）年９月８日）の一部を平成１８年５月２９日に新たに出願した特願２００６−１４８９９８号の一部を、さらに平成１９年１１月５日に新たな特許出願としたものであって、平成２０年９月１２日付けで拒絶査定がされたのに対し、同年１０月２４日付けで拒絶査定不服審判が請求されたものである。
　そして、本願の請求項２に係る発明（以下、「本願発明」という。）は、平成２０年８月２５日付け手続補正書の特許請求の範囲の請求項２に記載された事項により特定される次のとおりのものと認める。
　
「【請求項２】
　高解像度データを含む複数の高解像度画像ファイル及びその中間解像度画像ファイルと上記高解像度画像ファイル及びその中間解像度画像ファイルとに夫々対応した所定数の固定長符号化された所定画像サイズの低解像度画像データを含む少なくとも１つのインデックスファイルとから構成される画像ファイルと、上記インデックスファイルに含まれる固定長符号化された低解像度画像データに夫々対応する上記高解像度画像ファイル及びその中間解像度画像ファイルを示すための管理データを含む管理ファイルと、上記画像ファイルと上記管理ファイルの相対記録位置を記録単位で指定する位置データを含む管理情報テーブルとを有する記録媒体に記録された画像データを再生する再生方法であって、
　（ａ）上記管理ファイルの管理データ及び上記管理情報テーブルの位置データに基づいて、上記記録媒体から所望のインデックスファイルを検索し、
　（ｂ）上記ステップ（ａ）で検索されたインデックスファイルに含まれる上記所定数の固定長符号化された所定画像サイズの低解像度画像データによって、上記表示手段の１表示画面が構成されるように上記インデックスファイルを再生するとともに、指定された低解像度画像データに対応する中間解像度データを上記表示手段に表示されるように再生する再生方法。」
　
２．引用例
　原査定の拒絶の理由に引用された、本願の優先権主張の日前に頒布された刊行物である特開平５−２５７９８７号公報（以下、「引用例」という。）には、画像ファイル用記憶媒体に関して、図面とともに以下の技術事項が記載されている。（下線は当審で付した。）
　
　（ａ）「【００１０】
【実施例】
図１は本発明の一実施例を示す画像ファイル用記憶媒体のボリューム構造である。１は管理情報記録領域、２は画像情報記録領域であり、管理情報記録領域１には画像情報５の記録アドレス，検索項目などの管理情報３と縮小画像情報４が図示のように、順次、記録される。
【００１１】図２は本発明による光ディスクを用いた画像ファイル装置の構成例である。画像入力装置はカメラ１１、及びスキャナ１２，画像出力装置はモニタ９、及びプリンタ１０、情報の記録再生は記憶媒体に光ディスクを用い光ディスクドライブ８で行う。画像処理部７では、画像入力装置から入力した画像情報の縮小処理を行い光ディスクに記録し、また光ディスクから再生した縮小画像情報を内蔵のフレームメモリに記録しモニタにマルチ画面検索のためのマルチ画面表示をする。これら全ての装置は専用バス１３でホストコンピュータ６に接続され、ホストコンピュータ６がシステム全体の制御を行う。」
　（ｂ）「【００１２】以上のように構成された画像ファイル装置において、本発明による図１のボリューム構造の光ディスクを用いた場合のマルチ画面表示動作を説明する。
【００１３】図３は本発明と従来例の縮小画像表示動作の概略フローチャートである。
まず最初にホストコンピュータ６によりマルチ画面表示の指示を行うと、光ディスクドライブ８である一つの画像情報の管理情報３を読み出し、この情報はホストコンピュータ６に記憶される。連続して光ディスクドライブ８では管理情報を読み出した画像情報の縮小画像情報４を読み出し、画像情報処理部７のフレームメモリに記録する。画像情報処理部７では縮小画像の表示位置の管理をする。この動作が終了すると、新たな一つの画像情報について上記の動作を行い、この動作を複数回繰り返す。マルチ画面表示用の縮小画像情報を画像処理部７のフレームメモリに全て記録した後、モニタ９に縮小画像のマルチ画面表示する。
【００１４】本発明の記憶媒体を用いることにより、図３の（ｂ）を見て分かるように、従来例に比較して画像情報領域へのアクセス，画像情報の読み出し，画像情報の縮小処理が不要のため、縮小画像によるマルチ画面表示が非常に高速に行える。
次にモニタ９上でマルチ画面検索を行い、所望の画像をマウスなどのポインティングデバイスで選定する。
【００１５】
ホストコンピュータ６は選定された画像の管理情報から、光ディスクドライブ８へ画像情報５の記録アドレスを指示し、所望の画像情報５を読み出す。読み出された画像情報はモニタ９に１画面表示する
　
　上記摘示事項及び図面を総合勘案すると、引用例には、次の発明（以下、「引用発明」という。）が記載されているものと認める。
「画像ファイル用記憶媒体のボリューム構造として、画像情報の記録アドレス，検索項目などの管理情報と縮小画像情報が順次記録される管理情報記録領域と、画像情報記録領域とを有し、
　マルチ画面表示の指示を行うと、一つの画像情報の管理情報を読み出し、管理情報を読み出した画像情報の縮小画像情報を読み出し、この動作を複数回繰り返した後、モニタに縮小画像のマルチ画面表示し、
　モニタ上でのマルチ画面検索において、選定された所望の画像の管理情報から画像情報の記録アドレスを指示して所望の画像情報を読み出し、モニタに１画面表示する
画像データを再生する再生方法。」
　
３．対比
　本願発明を、引用発明と比較する。
　（１）情報をファイル形式で扱うことは一般的に行われていることであるから、引用発明における複数の「画像情報」は、本願発明における「高解像度データを含む複数の高解像度画像ファイル」に相当する。
　また、引用発明における「縮小画像情報」は、「モニタ上でのマルチ画面検索において、選定された所望の画像の管理情報から画像情報の記録アドレスを指示して所望の画像情報を読み出し、モニタに１画面表示する」際の「マルチ画面」に用いられるものであるから、「画像情報」に対応付けられていることは明らかである。加えて、「縮小画像」として「低解像度」の画像を用いることは、一般的かつ慣用の技術と認められる。すると、引用発明の「縮小画像情報」は、本願発明における「上記高解像度画像ファイルに夫々対応した低解像度画像データを含む少なくとも１つのインデックスファイル」に相当する。さらに、記録媒体において記録情報の記録位置や対応関係を管理情報として保持する構成は一般的であるから、引用発明において「縮小画像情報」と共に「順次記録される」「画像情報の記録アドレス（，検索項目）などの管理情報」は、本願発明における「上記インデックスファイルに含まれる低解像度画像データに夫々対応する上記高解像度画像ファイルを示すための管理データを含む管理ファイル」及び「上記画像ファイルの記録位置を記録単位で指定する位置データを含む管理情報」に相当する構成を実質的に備えるものといえる。
　そして、引用発明における上記「画像情報」及び「縮小画像情報」は、本願発明における「高解像度データを含む複数の高解像度画像ファイルと上記高解像度画像ファイルに対応した低解像度画像データを含む少なくとも１つのインデックスファイルとから構成される画像ファイル」に相当する。
　以上の構成を備えた引用発明の画像データを再生する再生方法は、「画像ファイル用記憶媒体」における「所望の画像情報を読み出し、モニタに１画面表示する」ものであり、本願発明における「高解像度データを含む複数の高解像度画像ファイルと上記高解像度画像ファイルに夫々対応した低解像度画像データを含む少なくとも１つのインデックスファイルとから構成される画像ファイルと、上記インデックスファイルに含まれる低解像度画像データに夫々対応する上記高解像度画像ファイルを示すための管理データを含む管理ファイルと、上記画像ファイルの記録位置を記録単位で指定する位置データを含む管理情報とを有する記録媒体に記録された画像データを再生する再生方法」に相当する。
　（２）記録媒体において記録情報の記録位置や対応関係を管理情報として保持することが一般的な技術であることは、上記（１）で認めるところであるから、引用発明における「マルチ画面表示の指示を行うと、一つの画像情報の管理情報を読み出し、管理情報を読み出した画像情報の縮小画像情報を読み出し（、この動作を複数回繰り返し）」との動作は、「（ａ）上記管理ファイルの管理データ及び上記管理情報の位置データに基づいて、上記記録媒体からインデックスファイルを読み出」すものである点で、本願発明と共通する。
　また、引用発明における「この動作を複数回繰り返した後、モニタに縮小画像のマルチ画面表示し、」「モニタ上でのマルチ画面検索において、選定された所望の画像の管理情報から画像情報の記録アドレスを指示して所望の画像情報を読み出し、モニタに１画面表示する」との動作は、「（ｂ）上記ステップ（ａ）で読み出されたインデックスファイルに含まれる低解像度画像データによって、上記表示手段の１表示画面が構成されるように上記インデックスファイルを再生するとともに、指定された低解像度画像データに対応するデータを上記表示手段に表示されるように再生する」ものである点で、本願発明と共通する。
　
　すると、本願発明と引用発明とは、次の点で一致する。
「高解像度データを含む複数の高解像度画像ファイルと上記高解像度画像ファイルに夫々対応した低解像度画像データを含む少なくとも１つのインデックスファイルとから構成される画像ファイルと、上記インデックスファイルに含まれる低解像度画像データに夫々対応する上記高解像度画像ファイルを示すための管理データを含む管理ファイルと、上記画像ファイルの記録位置を記録単位で指定する位置データを含む管理情報とを有する記録媒体に記録された画像データを再生する再生方法であって、
　（ａ）上記管理ファイルの管理データ及び上記管理情報の位置データに基づいて、上記記録媒体からインデックスファイルを読み出し、
　（ｂ）上記ステップ（ａ）で読み出されたインデックスファイルに含まれる低解像度画像データによって、上記表示手段の１表示画面が構成されるように上記インデックスファイルを再生するとともに、指定された低解像度画像データに対応するデータを上記表示手段に表示されるように再生する再生方法。」
　
　一方で、両者は、次の各点で相違する。
　（Ａ）本願発明は「中間解像度画像ファイル」を備え、「管理データ」に「低解像度画像データに夫々対応する」「中間解像度画像ファイルを示すための」ものを含み、さらに、「中間解像度データ」が「表示手段に表示される」のに対し、引用発明においては前記構成を備えておらず、前記「表示手段に表示される」のは「高解像度データ」である点。
　（Ｂ）「低解像度画像データ」が、本願発明においては「所定数の固定長符号化された所定画像サイズ」であるのに対し、引用発明においては前記事項について特定されていない点。
　（Ｃ）本願発明においては、「管理情報」に含まれる「位置データ」が「上記画像ファイルと上記管理ファイルの相対記録位置を記録単位で指定する」ものであり、かつ、前記「管理情報」の構造が「テーブル」であるのに対し、引用発明においては前記構成が特定されていない点。
　（Ｄ）本願発明は「低解像度画像データによって、上記表示手段の１表示画面が構成される」際に、「記録媒体から所望のインデックスファイルを検索」しているのに対し、引用発明においては前記構成が特定されていない点。
　
４．判断
　そこで、上記各相違点について検討する。
　（相違点Ａについて）
　画像を再生する方法において、画像を高・中・低以上の解像度の階層に分けて記憶しておき、画像再生時に、再生装置や所望の再生画質に応じて解像度の階層を選択することは、周知技術（特開平６−１９５４３５号公報（【０００２】【０００３】等）、及び特開平５−２１９３８７号公報（【０００９】【００３５】等）等参照。）と認められるから、高解像度画像及び低解像度画像を用いて高解像度画像を再生する引用発明において、中間解像度の画像も記憶しておくとともに、低解像度画像データとの対応関係も管理データに含ませておき、再生装置や所望の再生画質に応じて中間解像度の画像を表示して再生するように構成することは、当業者が容易に想到しうることである。
　
　（相違点Ｂについて）
　検索用の縮小画像を「所定数の固定長符号化された所定画像サイズ」とすることは、周知技術（特開平５−３０７５７８号公報（【０００９】等）、及び特開平４−４７４５５号公報（特許請求の範囲等）等参照。）と認められるから、引用発明における検索用の縮小画像（低解像度画像データ）を「所定数の固定長符号化された所定画像サイズ」とすることは、当業者が容易に想到しうることである。
　
　（相違点Ｃについて）
　データの記録を相対位置に基づき管理する技術は周知（例えば、特開昭６４−４９９３号公報（特許請求の範囲等）、及び特開平４−３１３８１７号公報（【００１１】等）等参照。）であり、引用発明において、画像ファイルと管理ファイルの相対記録位置を記録単位で指定する位置データを用いて管理することは、当業者が容易に想到しうることであり、当該管理をテーブルで行うことは、適宜なしうる設計的事項である。
　
　（相違点Ｄについて）
　引用発明は、管理情報において画像情報の検索項目を有しているところ、縮小画像（低解像度画像データ）によって一覧表示（１表示画面）を行う際に、記録媒体から所望の縮小画像の情報を検索することは、周知技術（特開平４−４２３６８号公報（１頁右欄１９行乃至２頁右下欄８行等）、及び特開平４−１８８２７７号公報（請求項２、４頁左下欄１２乃至２０行、７頁左下欄１０乃至１６行、８頁左下欄６行乃至９頁左上欄９行等）等参照。）であるから、引用発明の縮小画像のファイル（インデックスファイル）について、所望の縮小画像を検索する構成は、当業者が必要に応じて適宜設計しうることである。
　
　そして、本願発明の奏する効果は、引用例及び周知技術から当業者が十分に予測できたものであって、格別なものとはいえない。
　
　したがって、本願発明は、その優先権主張の日前に頒布された刊行物である引用例に記載された発明及び周知技術に基づいて、当業者が容易に発明をすることができたものである。
　
５．むすび
　以上のとおり、本願の請求項２に係る発明は、その優先権主張の日前に頒布された刊行物に記載された発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　
　よって、結論のとおり審決する。